(57)【要約】【課題】シューズカバー付の防水ズボンであって、必要時のみシューズカバーで靴を覆い、不要時にはズボン本体に収納できるものであって、シューズカバーを長く形成した場合にも収納が容易であり、かつ収納時にカバーが目立ったり邪魔にならない防水ズボンを提供する。【解決手段】略円筒形状のシューズカバー２の上端２ａを、ズボンの裾３に、前記シューズカバー２が前記ズボンの裾３の延長部となるように固定したものであって、前記シューズカバー２は、前記ズボンの裾３を支点として、前記ズボンの裾部４の外側を覆うように上方に折り返し、前記ズボンと前記シューズカバーに設けられた対をなす係止具により、ズボンの外周に固定できるようになっており、かつ前記固定状態において、折り返されたシューズカバーの開放端部を覆うように、ズボン外周に庇部５が設けられていることを特徴とする。【選択図】図１
2008057065.tif 000002
【特許請求の範囲】
【請求項１】
略円筒形状のシューズカバーの上端を、ズボンの裾に、前記シューズカバーが前記ズボンの裾の延長部となるように固定したものであって、
前記シューズカバーは、前記ズボンの裾を支点として、前記ズボンの裾部の外側を覆うように上方に折り返し、前記ズボンと前記シューズカバーに設けられた対をなす係止具により、ズボンの外周に固定できるようになっており、かつ前記固定状態において、折り返されたシューズカバーの開放端部を覆うように、ズボン外周に庇部が設けられていることを特徴とする、シューズカバー付防水ズボン。
【請求項２】
前記シューズカバー側面のつま先側にボックス・プリーツが設けられていることを特徴とする、請求項１に記載の防水ズボン。
【請求項３】
前記ボックス・プリーツの下端部が、プリーツが折り畳まれた状態で固定されていることを特徴とする、請求項２に記載の防水ズボン。
【請求項４】
前記対をなす係止具のうち、ズボン側の係止具が前記庇部の内側に設けられており、前記シューズカバー側の係止具が、当該シューズカバーの下端部の内側に設けられていることを特徴とする、請求項１〜３のいずれか１項に記載の防水ズボン。
【請求項５】
ズボン丈を調節するための調節具が設けられていることを特徴とする、請求項１〜４のいずれか１項に記載の防水ズボン。
【発明の詳細な説明】
【技術分野】
【０００１】
本発明は、雨天時に使用する防水ズボンに関する。より詳しくは、シューズカバー付の防水ズボンに関する。
【背景技術】
【０００２】
雨天時に着用する防水ズボンには、靴が濡れるのを防止できないものが多い。この問題を解決するものとして、例えば特許文献１〜３の考案が挙げられる。
【０００３】
特許文献１には、足の踝より下方の裾が拡開しており、この裾部で靴を覆うことができるオーバーズボンが開示されている。
特許文献２には、ズボンの裏の内周部分に、縦方向に開閉するスパッツを、該スパッツの上端部分で着脱可能に係合させるズボンが開示されている。
特許文献３には、雨合羽を着用した時に取り付ける靴カバーであって、不使用時は雨合羽の裾にまるめて収納しておく靴カバーが開示されている。
【特許文献１】実開平６−４２９１０号公報
【特許文献２】特開２０００−１９２３０５号公報
【特許文献３】実用新案登録第３１１３７４０号公報
【０００４】
しかし、特許文献１に開示されたオーバーズボンは、シューズカバーが常に装着されたままであるという問題がある。
これに対し、特許文献２のズボンは、不要時にはスパッツを取り外すことができるが、着脱に手間がかかり、またスパッツを別に携帯しておかなければならないという問題がある。
他方、特許文献３の靴カバーは、具体的な構成が開示されていないため、広げた際に隙間無く靴をカバーできるのか、外観や着心地を害さずに収納できるか等の点が明らかではない。
【０００５】
特に、自転車の傘さし運転の禁止に伴い、自転車に乗るときにレインコートとして防水ズボンを着用する人が増加しているが、自転車をこぐ際には、膝が折り曲がるため、歩いている状態より防水ズボンの裾が上方にずれる。従って、この状態で靴を完全にカバーしようと思えば、シューズカバーを長めに形成する必要があるが、長めに形成すると、今度は歩行時に邪魔になるという問題がある。したがってこの場合は、シューズカバーを取り外すかあるいはズボン本体に収納することが必要となるが、取り外す構成とすると、濡れたシューズカバーを別に保管する手間がかかる。
一方、ズボン本体に収納する構成とした場合は、シューズカバーが長いため収納しづらく、また、ズボン外部に収納すると目立って外観を損ない、ズボン内部に収納すると衣類を汚したり、着心地が悪くなる恐れがある。上記特許文献１〜３の考案によっても、この問題を有効に解決することはできない。
【発明の開示】
【発明が解決しようとする課題】
【０００６】
したがって本発明は、上記問題を解決するため、シューズカバー付の防水ズボンであって、必要時のみシューズカバーで靴を覆い、不要時にはズボン本体に収納できるものであって、シューズカバーを長く形成した場合にも収納が容易であり、かつ収納時にカバーが目立ったり邪魔にならない防水ズボンを提供することを課題とする。
【課題を解決するための手段】
【０００７】
本発明者は、上記課題を解決するために鋭意検討した結果、
略円筒形状のシューズカバーの上端を、ズボンの裾に、前記シューズカバーが前記ズボンの裾の延長部となるように固定したものであって、
前記シューズカバーは、前記ズボンの裾を支点として、前記ズボンの裾部の外側を覆うように上方に折り返し、前記ズボンと前記シューズカバーに設けられた対をなす係止具により、ズボンの外周に固定できるようになっており、かつ前記固定状態において、折り返されたシューズカバーの開放端部を覆うように、ズボン外周に庇部が設けられていることを特徴とする、シューズカバー付防水ズボンを考案することによって、上記課題を解決した。
【０００８】
すなわち、本発明にかかるシューズカバーは、ズボン脚部と同じく円筒形状であるため、ズボンの裾に上端を固定して、ズボンの裾と同心円状に連通する延長部とすることができる。また、装着状態では靴の周囲を取り囲み、靴が雨水で濡れるのを防止することができる。そして、当該シューズカバーは、前記ズボンの裾を支点として、前記ズボンの裾部の外側を覆うように上方に折り返し、前記ズボンと前記シューズカバーに設けられた対をなす係止具により、ズボンの外周に固定できるようになっているため、シューズカバー不要時には、邪魔にならないように収納することができる。また、ズボンの内周側ではなく、外周側に折り返す構成のため、シューズカバーの表面が濡れていても、衣類や脚が汚れない。
さらに、前記固定状態において、折り返されたシューズカバーの開放端部を覆うように、ズボン外周に庇部が設けられているため、ズボンとシューズカバーの間の隙間への水の侵入を防ぐことができる。
そして、収納時は、ズボンの裾側の布地が二重になるだけであるため、シューズカバーの丈を長く構成した場合にも嵩張らず容易に収納することができる。さらに、シューズカバーの裏地と庇部を、防水ズボンの表地と同色同素材とすれば、外観自体は通常のズボンとさほど変わらないため、ファッション性にも優れている。
【０００９】
また、前記シューズカバーのつま先側の側面にボックス・プリーツを設ければ、シューズカバーのつま先側がプリーツ分だけ外方向に突出可能であるため、より靴の形状に一致するものとなり、靴が収まりやすい。また、シューズカバーを単に末広がりの形状やつま先側が突出した形状とする場合と異なり、プリーツを畳むだけで円筒形状にもどるため、収納時にたるみや皺が生じにくい。
【００１０】
さらに前記ボックス・プリーツの下端部を、プリーツを折り畳んだ状態で固定すれば、収納時にプリーツを折り畳む手間がかからず、収納がより容易である。さらに、装着した際には、つま先側のシューズカバーの中央部は膨らむが、下端はすぼまった状態となるため、自転車をこぐ際などにもシューズカバーがめくり上がりにくい。
【００１１】
また、前記の対をなす係止具のうち、ズボン側の係止具を前記庇部の内側に設け、シューズカバー側の係止具を、当該シューズカバーの下端部の内側に設ければ、ズボンとシューズカバーの間の隙間を庇部で塞いだ状態で固定できるため、より完全に雨水の浸入を防ぐことができる。また、庇部がズボン外周に密着した状態で固定されるため、庇部がより目立ちにくくなる。
【００１２】
さらに、ズボン丈を調節するための調節具を設ければ、シューズカバーの上下方向の位置を調節することができるため、シューズカバーの位置を適切に調節することができる。
【発明の効果】
【００１３】
本発明のシューズカバー付防水ズボンによれば、シューズカバーで靴を覆って靴が濡れないようにすることができ、不要時にはシューズカバーをズボン本体に固定して収納することができる。また、収納が容易であって、かつ動作時に邪魔にならず外観上も目立たないにように収納することができる。
【発明を実施するための最良の形態】
【００１４】
本発明にかかる防水ズボンの素材としては、レインコート等に通常用いられている防水性のある生地を用いればよい。全てを同色の生地で構成すれば、シューズカバーや庇部が目立ちにくく、シューズカバー収納時の外観が通常のズボンに近くなる。
【００１５】
本発明に係る略円筒形状のシューズカバーは、その外径（あるいは、断面の形状と面積）が、ズボン裾部の外径と実質的に同一であれば、皺やたるみを生じずに容易に収納することができるので、より好ましい。一例として、ズボンの膝下からシューズカバーの下端までの外径が実質的に一定である防水ズボンを挙げることができる。また、シューズカバーにプリーツが設けらている場合、上記外径とは、プリーツを折り畳んだ状態での外径を意味する。
【００１６】
また、本発明において、略円筒形状のシューズカバーとは、完全な円筒形状でなくとも、ズボンの裾に連通して取り付けることができる内空のものであればよく、例えば末広がりの形状であっても、ひだ付の形状であってもよい。また、その長さは目的によっても異なるが、自転車乗車時に重点をおく場合、靴がすっぽりと覆われるよう長めに形成することが好ましい。例えば１５ｃｍ〜２３ｃｍ、より好ましくは１８ｃｍ〜２０ｃｍである。シューズカバー上端がズボンの裾と重なっている場合は、裾から下の実質的な長さが上記範囲となることが好ましい。
【００１７】
また、本発明において、庇部とは、シューズカバーを収納した状態において、ズボンとシューズカバーの隙間への水の侵入を防ぐことができる部材であれば特に限定されないが、ズボン外周に沿って設けられた垂れ布状の部材であることが好ましい。また、前記垂れ布状の部材の長さ（垂直方向の長さ）は、１ｃｍ以上であることが好ましく、約１．５ｃｍ〜５ｃｍがより好ましく、約２ｃｍ〜３ｃｍが特に好ましい。
【００１８】
本発明において、対をなす係止具としては、面ファスナ、ホック、ボタン、スライドファスナ等を挙げることができる。
また、本発明においてズボンに設けられる係止具は、ズボン本体に設けられてもよく、ズボン本体に取り付けられた部材（例えば庇部）に設けられてもよい。
【００１９】
本発明において、ボックス・プリーツのサイズは、シューズカバーのサイズ等により適切な大きさとすればよい。例えば、大人用の防水ズボンの場合は、約８ｃｍ〜１２ｃｍの生地を折り畳んでボックス・プリーツを構成することができる（すなわち、プリーツを広げた状態での全長[水平方向の全長]は約８ｃｍ〜１２ｃｍとなり、プリーツを折り畳んだ状態でのボックス・プリーツの幅はその約１／２程度となる）。
【００２０】
本発明において、調節具とは、ズボンの丈を調節できるものであればよいが、膝下の丈を調節できるものがより好ましい。シューズカバーの上方のズボンの丈（すなわち裾部の丈）を調節できる調節具とすれば、防水ズボンをはいた状態でシューズカバーの位置の微調節が行い易く、特に好ましい。
【実施例１】
【００２１】
以下、本発明にかかるシューズカバー付防水ズボンを、図面を用いて説明する。図１は、本発明に係るシューズカバー付防水ズボンの一実施例の正面図であって、右側の脚部はシューズカバーを広げた状態（装着状態）を、左側の脚部はシューズカバーを収納した状態を示す。図２は、図１の防水ズボンの膝下の拡大正面図であって、Ａはシューズカバーを広げた状態を、Ｂはシューズカバーを折り返して係止具を合わせようとする状態を、Ｃは係止具を合わせた状態（収納状態）を示す図である。図３は、図１の防水ズボンの使用状態を示す側面透視図である。
【００２２】
本実施例のシューズカバー２は、図１に示すように、その側面のつま先側にボックス・プリーツ７が設けられた略円筒形状であって、ボックス・プリーツ７が折り畳まれた状態では、ほぼ完全な円筒形状になるよう構成されている。また、ズボン裾部４の外径とシューズカバー２の外径は実質的に同一である。なお、本実施例では、ズボンおよびシューズカバーは、厚さ１ｍｍ程度の生地で構成されているため、ズボン裾部およびシューズカバーの直径は外径でも内径でもほとんど変わらない。上端２ａで裾３に固定されたシューズカバー２は、その内腔がズボン脚部の内腔と連通してズボンの裾３の延長部を形成している（図１右側参照）。
【００２３】
さらに、本実施例では、自転車に乗るときに使用することを考慮して、シューズカバー２を長めに構成している（約２０ｃｍ  上端約１ｃｍは裾３と重ねて縫い合わせられているため、裾下の実質的な長さは約１９ｃｍ）。そのため、靴の甲部分だけでなく、靴全体をすっぽりと覆うことができる。
【００２４】
そしてシューズカバー２を収納する際には、前記ズボンの裾３を支点として、前記ズボンの裾部４の外側を覆うようにシューズカバー２を上方に折り返してズボンの外周に固定する（図１左側参照）。すなわち、シューズカバー２は裏返しの状態でズボンの裾部４に固定される。この固定状態において、折り返されたシューズカバー２の開放端部Ｚ（図２Ｂ参照）を覆うように、ズボン外周に庇状の部材５が設けられているため、ズボンとシューズカバー２の間の隙間へ雨水が侵入するのを防ぐことができる。本実施例では、前記庇部５は、ズボン外周に沿って設けられた垂れ布状の部材であり、垂直方向の長さは約２ｃｍである。これは、ズボン脚部の生地をつまみ縫いすることにより（いわゆる横向きのタックとなるように）構成されている。また、本実施例では、前記庇部５の内側に設けられたズボン側の面ファスナ６（雄部）と、シューズカバーの下端部２ｂの内側に設けられたシューズカバー側の面ファスナ６（雌部）とを係合させることより、シューズカバーと庇部とを重ねた状態で固定する（図２Ｃ参照。なお図２Ｂは庇部がめくり上がり、庇部の内側が見える状態となっている）。なお、本実施例ではズボン本体とシューズカバーおよび庇部が全て同色のナイロン素材で構成されているため、シューズカバー収納時には、その外観は通常のズボンとほとんど変わらない。
【００２５】
また、本実施例では、シューズカバー２の外径（プリーツ７を折り畳んだ状態での外径）と裾部４の外径がほぼ同一であるため、収納する際にたるみや皺が生じない。また、ボックス・プリーツの下端部は、プリーツを折り畳んだ状態で縫合されているため、収納時に折り畳む手間がかからず、手早くきれいに収納することができる。さらに、プリーツの下端部が折り畳まれた状態で固定されていることにより、装着時にシューズカバーの下端がすぼまり、自転車をこぐ際にもシューズカバーがめくり上がりにくい（図３参照）。本実施例では、ボックス・プリーツ７は、プリーツを折り畳んだ状態での幅が約５ｃｍであり、プリーツを広げた状態での水平方向の長さは約９〜１０ｃｍである。
【００２６】
さらに、本実施例の防水ズボンには、ズボンの丈を調節するための調節具８が設けられている。当該調節具８は、一端がズボン外側の裾３付近に固着された紐状部材８ａと、前記紐状部材８ａを裾３付近から上方にかけて垂直方向に保持可能な、上端が開口した鞘状の収容部８ｂ（ズボン本体の生地と同じ生地からなる）と、当該収容部８ｂの外側で紐状部材８ａを把持する移動可能な把持具８ｃとからなる。図３に示すように、前記紐状部材８ａの上端を上方向に引っぱって、防水ズボンの裾部４の生地を垂直方向に縮めた状態で、把持具８ｃにより、紐状部材８ａを、収容部８ｂの開口部直近で把持して固定することによりズボン丈を調節することができる。このような調節具８を設けることにより、着用者が自分で、シューズカバー２の位置を上下方向に調節することができる。従って、シューズカバーが長すぎて動作時に邪魔になる場合には短く調節することができて、より安全である。また、自転車に乗ったときと歩行時の両方でシューズカバーを使用する場合などにも、適宜長さを調節できて便利である。
【００２７】
なお、本実施例では、収納時に目立たないようにするため、収納時にシューズカバー２の後ろに隠れる位置に調節具８を設けている。
【図面の簡単な説明】
【００２８】
【図１】本発明に係るシューズカバー付防水ズボンの一実施例の正面図であって、右側の脚部はシューズカバーを広げた状態を、左側の脚部はシューズカバーを収納した状態を示す。
【図２】図１の防水ズボンの膝下の拡大正面図であって、Ａはシューズカバーを広げた状態を、Ｂはシューズカバーを折り返して係止具を合わせようとする状態を、Ｃはシューズカバーの収納状態を示す。
【図３】図１の防水ズボンの使用状態を示す側面透視図である。
【符号の説明】
【００２９】
１  シューズカバー付防水ズボン
２  シューズカバー
３  ズボンの裾
４  ズボンの裾部
５  庇部
６  係止具
７  ボックス・プリーツ
８  ズボン丈の調節具
Ｚ  折り返されたシューズカバーの開放端部
【図１】
2008057065.tif 000003
【図２】
2008057065.tif 000004
【図３】
2008057065.tif 000005